(57)【特許請求の範囲】
【請求項１】
軸筒内に複数の筆記体を前後方向に移動可能に収容し、前記各々の筆記体を後方に付勢する複数のコイルスプリングを軸筒内に収容し、前記各々の筆記体の後端に操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させる多芯筆記具であって、各々の筆記体を軸筒内から取り外し交換可能に構成するとともに、軸筒の後端に、窓孔を後方に開口させる開閉自在の開口部を設け、前記開口部を通して操作体を、軸筒内から取り外し可能且つ軸筒内に挿入可能に構成し、軸筒内壁にコイルスプリングの前端が当接するスプリング支持部を設け、前記スプリング支持部の後方の軸筒内に、各々のコイルスプリングを収容する複数のスプリング収容部を設け、前記スプリング収容部の相互間に、各々のコイルスプリング同士の接触を回避する隔壁を設けたことを特徴とする多芯筆記具。
【請求項２】
前記隔壁が、軸筒内壁またはスプリング支持部に一体に形成される請求項１記載の多芯筆記具。
【請求項３】
前記スプリング支持部にコイルスプリングの前端部を径方向に保持する保持部を形成した請求項１または２記載の多芯筆記具。
【発明の詳細な説明】
【技術分野】
【０００１】
本発明は、多芯筆記具に関する。詳細には、軸筒内に複数の筆記体を収容した多芯筆記具に関する。
【背景技術】
【０００２】
従来この種の筆記具において、特許文献１には、各筆記体の後部に隆起部を設けた摺動体を連接し、隆起部を軸筒の外方に突出させ、隆起部を摺動体に着脱自在に装着したことにより、使用者の好みにあった筆記体に交換した際に、誤った筆記体の選択をすることなく、また隆起部の形状や色柄も選択可能とした構成が開示されている。
【０００３】
【特許文献１】特開２００３−１１５８３号公報
【発明の開示】
【発明が解決しようとする課題】
【０００４】
前記従来の多芯筆記具は、組立工程において、コイルスプリングを軸筒内に挿入した際、コイルスプリング同士が軸筒内で互いに絡み合い、それにより、適正な筆記体の出没作動が得られないおそれがある。
【０００５】
また、前記従来の多芯筆記具は、ユーザーが、交換前に軸筒内に収容されていた筆記体とは異なる種類の筆記体に交換する際、摺動体を軸筒内に残した状態で、摺動体から筆記体と隆起部とを取り外し、その後、摺動体に新たな筆記体と新たな隆起部とを取り付ける。そのため、筆記体の交換作業が複雑であり、ユーザーが迅速且つ確実な交換を行うことができないおそれがあり、さらに、複数の筆記体を同時に交換する場合、誤って、筆記体とその筆記体に対応しない隆起部とを一つの摺動体に取り付けるおそれがある。また、前記隆起部は、小さな部品であるため、紛失しやすい。
【０００６】
本発明は、前記従来の問題点を解決するものであって、組立工程においてコイルスプリングを軸筒内に挿入した際、コイルスプリング同士が軸筒内で互いに絡み合うおそれがなく、また、ユーザーが好みの筆記体とそれに対応した操作体を軸筒内に交換可能に収容でき、しかも、筆記体及び操作体を取り外した際にコイルスプリング同士が絡み合うおそれがない多芯筆記具を提供しようとするものである。尚、本発明において、「前」とはペン先側を指し、「後」とはその反対側を指す。
【課題を解決するための手段】
【０００７】
【０００８】
尚、本発明でスプリング収容部２１とは、非圧縮状態のコイルスプリング８が収容される部分をいう。
【０００９】
[１]本発明は、軸筒２内に複数の筆記体６を前後方向に移動可能に収容し、前記各々の筆記体６を後方に付勢する複数のコイルスプリング８を軸筒２内に収容し、前記各々の筆記体６の後端に操作体７を連結し、軸筒２の側壁に前後方向に延びる複数の窓孔４１を径方向に貫設し、前記各々の窓孔４１から径方向外方に前記各々の操作体７を突出させ、一つの操作体７を窓孔４１に沿って前方にスライドさせることにより、その一つの操作体７に連結された筆記体６のペン先６１を軸筒２の前端孔３１から突出させるとともに、先に突出状態にあった他の筆記体６のペン先６１を軸筒２内に没入させる多芯筆記具であって、各々の筆記体６を軸筒２内から取り外し交換可能に構成するとともに、軸筒２の後端に、窓孔４１を後方に開口させる開閉自在の開口部４２を設け、前記開口部４２を通して操作体７を、軸筒２内から取り外し可能且つ軸筒２内に挿入可能に構成し、軸筒２内壁にコイルスプリング８の前端が当接するスプリング支持部９を設け、前記スプリング支持部９の後方の軸筒２内に、各々のコイルスプリング８を収容する複数のスプリング収容部２１を設け、前記スプリング収容部２１の相互間に、各々のコイルスプリング８同士の接触を回避する隔壁４４を設けたこと（請求項１）を要件とする。
【００１０】
前記多芯筆記具１（請求項１）は、スプリング収容部２１の相互間に、各々のコイルスプリング８同士の接触を回避する隔壁４４を設けたことにより、組立工程において、コイルスプリング８を軸筒２内に挿入した際、コイルスプリング８同士が軸筒２内で互いに絡み合うおそれがない。それにより、筆記体６の出没の作動不良が生じるおそれがない。尚、本発明でスプリング収容部２１とは、非圧縮状態のコイルスプリング８が収容される部分をいう。
【００１１】
前記多芯筆記具１（請求項１）は、ユーザーが軸筒２内の筆記体６を取り外して好みの筆記体６に交換できると同時に、操作体７も、軸筒２内から取り外してその筆記体６に適正に対応したものに交換でき、筆記体６と操作体７との誤った連結を防止できる。もし、操作体７が軸筒２内から取り外し交換できない構成の場合、交換できる筆記体６の種類は、軸筒２内に収容された操作体７に対応した筆記体６のみに限られ、ユーザーが好みの筆記体６を自由に交換できない。また、前記多芯筆記具１（請求項１）は、従来のような小さな部品の交換を必要とせず、迅速且つ確実な交換作業を行うことができる。
【００１２】
また、筆記体６及び操作体７を交換可能にしたことにより、筆記体６及び操作体７を軸筒２内から取り外したとき、少なくともコイルスプリング８の後端は軸筒２内においてフリーな状態となるため、軸筒２内に残るコイルスプリング８同士が接触して絡み合うおそれがある。しかし、前記多芯筆記具１（請求項１）は、スプリング収容部２１の相互間に、各々のコイルスプリング８同士の接触を回避する隔壁４４を設けたことにより、筆記体６及び操作体７を軸筒２内から取り外して軸筒２内のコイルスプリング８の後端がフリーな状態となっても、コイルスプリング８同士が接触せず、コイルスプリング８同士が絡み合うおそれがない。
【００１３】
尚、前記多芯筆記具１（請求項１）において、各々の筆記体６は、軸筒２の後端の開口部４２を通して交換してもよいし、あるいは、軸筒２の前方に開口する開口部を設け、その開口部を通して交換してもよい。前記軸筒２の後端の開口部４２は、少なくとも、操作体７を軸筒２から取り外す時及び操作体７を軸筒２内に挿入する時に開口していればよい。
【００１４】
［２］前記多芯筆記具１（請求項１）において、前記隔壁４４が、軸筒２内壁またはスプリング支持部９に一体に形成されること（請求項２）が好ましい。
【００１５】
前記多芯筆記具１（請求項２）は、隔壁４４を形成するための新たな部品が不要となり、部品点数が増加することを回避できる。
【００１６】
［３］前記多芯筆記具１（請求項１または２）において、前記スプリング支持部９にコイルスプリング８の前端部を径方向に保持する保持部９２を形成すること（請求項３）が好ましい。
【００１７】
前記多芯筆記具１（請求項３）は、操作体７を軸筒２内から取り外したとき、コイルスプリング８の前端部が保持部９２により径方向に保持されているため、コイルスプリング８が軸筒２内から外部に脱落することを防止できる。もし、コイルスプリング８が軸筒２内から外部に脱落すると、新たな操作体７を挿入する際に再びコイルスプリング８を挿入する手間を要し、その上、コイルスプリング８が紛失するおそれがある。前記保持部９２がコイルスプリング８の前端部を径方向に保持する構成は、例えば、コイルスプリング８の前端部外面を径方向内方に保持する構成、あるいは、コイルスプリング８の前端部内面を径方向外方に保持する構成が挙げられる。
【発明の効果】
【００１８】
【００１９】
請求項１の多芯筆記具によれば、組立工程においてコイルスプリングを軸筒内に挿入した際、コイルスプリング同士が軸筒内で互いに絡み合うおそれがない。また、ユーザーが好みの筆記体に交換できると同時に、操作体も、その筆記体に適正に対応したものに交換でき、筆記体と操作体との誤った連結を防止できる。しかも、従来のような小さな部品の交換を必要とせず、迅速且つ確実な交換作業を行うことができる。その上、筆記体及び操作体を軸筒内から取り外して軸筒内のコイルスプリングの後端がフリーな状態となっても、コイルスプリング同士が接触せず、コイルスプリング同士が絡み合うおそれがない。
【００２０】
請求項２の多芯筆記具によれば、隔壁を形成するための新たな部品が不要となり、部品点数が増加することを回避できる。
【００２１】
請求項３の多芯筆記具によれば、操作体を軸筒内から取り外したとき、コイルスプリングの前端部が保持部により径方向に保持されているため、コイルスプリングが軸筒内から外部に脱落することを防止できる。
【発明を実施するための最良の形態】
【００２２】
図１乃至図５に本発明の実施の形態を示す。
本実施の形態の多芯筆記具１は、軸筒２内に複数本（具体的には２本）の筆記体６が前後方向に移動可能に収容される。前記軸筒２内には、前記筆記体６の本数に対応した複数（具体的には２個）のコイルスプリング８が収容される。前記各々の筆記体６は、前記各々のコイルスプリング８により、後方に付勢されている。前記コイルスプリング８は、具体的には圧縮コイルスプリングである。
【００２３】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先６１が突出可能な前端孔３１が軸方向に貫設される。前記前軸３及び後軸４は、合成樹脂（例えば、ポリカーボネイト等）の射出成形により得られる。
【００２４】
前記後軸４の後部の側壁には、複数本（具体的には２本）の前後方向に延びる細長状の窓孔４１が、径方向に貫設される。前記２本の窓孔４１は、互いに、軸線に対して対称の位置（１８０度対称位置）に形成される。また、前記後軸４の後端部には、軸方向に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれて後方に開口されている。一方、前記窓孔４１の前端は常時閉鎖されている。
【００２５】
また、前記後軸４の窓孔４１の相互間の側壁内面には、前後方向に延びるリブよりなる係止壁部４３が一体に形成され、前記係止壁部４３に、ペン先６１が突出した際の筆記体６の操作体７の後端が係止される。
【００２６】
（隔壁）
また、前記軸筒２の内壁（即ち後軸４の内壁）には、前後方向に延び且つ径方向内方に突出する２本のリブよりなる隔壁４４が、軸線に対して対称位置に一体に形成される。前記隔壁４４は、前記係止壁部４３の相互間に形成されるとともに、その前端が、スプリング支持部９の後方且つ窓孔４１の前方に位置される。即ち、隔壁４４の前端は、スプリング収容部２１内に位置され、少なくとも、フリー状態のコイルスプリング８の後端より前方に位置される。
【００２７】
前記後軸４の窓孔４１の相互間の側壁外面には、クリップ４６が設けられる。
【００２８】
（スプリング支持部）
軸筒２の内壁（即ち後軸４の内壁）には、円筒状のスプリング支持部９が固着される。前記スプリング支持部９は、筆記体６が挿通される複数（具体的には２個）の内孔９１が軸方向に貫設されている。前記スプリング支持部９の後面と、各々の操作体７の鍔部７５の前面との間には、コイルスプリング８が配置される。前記各々のコイルスプリング８の内部に筆記体６が遊挿されるとともに、各々のコイルスプリング８の前端はスプリング支持部９の後面により係止され、各々のコイルスプリング８の後端は操作体７の鍔部７５の前面に係止される。尚、前記スプリング支持部９は、軸筒２内壁に一体に形成されてもよい。
【００２９】
また、前記スプリング支持部９の後面の各々の内孔９１の周囲には、周状壁部よりなる保持部９２が形成される。前記各々の保持部９２の内面には、各々のコイルスプリング８の前端部外面が圧入保持される。即ち、各々の保持部９２により各々のコイルスプリング８の前端部が径方向内方に保持される。それにより、各々の筆記体６及び操作体７を交換する際、軸筒２内から開口部４２を通して各々のコイルスプリング８が脱落することを防止できる。
【００３０】
本実施の形態において、筆記体６及び操作体７を交換するとき以外は、前記各々のコイルスプリング８が、各々の操作体７（即ち各々の筆記体６）を後方に付勢している。前記各々のコイルスプリング８は、ペン先突出状態及びペン先没入状態のいずれにおいても圧縮状態（即ち筆記体６が後方に付勢された状態）にあり、それにより、各々の操作体７の前後のがたつきが防止される。
【００３１】
（スプリング収容部）
前記スプリング支持部９の後方の軸筒２内（即ち後軸４内）には、複数（具体的には２個）のスプリング収容部２１が形成される。前記スプリング収容部２１の相互間には前記隔壁４４が配置される。本実施の形態では、前記隔壁４４は、１８０度対称位置より径方向内方に突出される２本のリブからなり、中央部において連結されておらず、隙間を有する構成が採用されているが、これ以外にも、前記隔壁４４は、スプリング収容部２１の相互間を完全に隔離する構成でもよい。また、前記各々のスプリング収容部２１を構成する軸筒２内壁（即ち後軸４内壁）には、コイルスプリング８の一部を収容可能な凹部４５が形成されている。
【００３２】
（蓋部）
前記後軸４の後端部には、前記開口部４２を開閉自在にする蓋部５が回動自在に設けられる。前記蓋部５の一端部は、クリップ基部に、ヒンジ部５２により回動自在に接続される。前記ヒンジ部５２は、ペン先下向きでクリップ４６を正面視したときのクリップ４６の左右方向に延設され、それにより、前記蓋部５は、略前後方向に回動自在となる。前記蓋部５の前面には、当接壁部５１が形成される。前記当接壁部５１に、没入状態の筆記体６の後端に連結された各々の操作体７の後端が、衝止される。
【００３３】
前記蓋部５の他端部の前面には、係合部５３が設けられる（具体的には係合凹部または係合孔部が形成される）。後軸４の後端には、前記係合部５３と係合可能な被係合部４７が設けられる（具体的には係合凸部が突設される）。前記係合部５３（係合凹部または係合孔部）の内面には、内向突起が形成され、一方、前記被係合部４７（係合凸部）の外面には、前記内向突起と乗り越え係止可能な外向突起が形成される。
【００３４】
前記係合部５３と前記被係合部４７とは、蓋部５が開口部４２を閉鎖した際、互いに係合状態にあり（具体的には内向突起と外向突起が乗り越え係止状態にあり）、コイルスプリング８の後方への付勢による操作体７と蓋部５前面の当接壁部５１との当接では、その係合状態は解除されず、蓋部５が開くことはない。
【００３５】
また、前記係合部５３と被係合部４７の構成以外にも、前記係合部５３が係合凸部よりなり、前記被係合部４７が係合凹部または係合孔部からなる構成でもよい。
【００３６】
（筆記体）
前記各々の筆記体６は、ボールペンレフィルであり、前端にボールが回転可能に抱持されたボールペンチップ（即ちペン先６１）と、該ボールペンチップを前端に備え且つ後端が開口されたインキ収容管６２とからなる。前記インキ収容管６２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管６２内のインキの後端には、インキの消費に伴い前進する高粘度流体からなる追従体が充填される。
【００３７】
また、前記ボールペンチップは、前端に回転可能に抱持されたボールをコイルスプリング等により前方に付勢し、前端縁部の内面にボールを密接させる構成でもよい。また、ボールペンチップは、インキ収容管６２の前端開口部４２に圧入等により直接、取り付けてもよいが、本実施の形態ではペン先ホルダーを介してインキ収容管６２の前端開口部４２に固着される。
【００３８】
（操作体）
前記各々の筆記体６の後端（即ちインキ収容管６２の後端開口部）には、操作体７が取り付けられる。前記各々の操作体７は、後端部に形成され且つ軸筒２の窓孔４１から外部に突出する操作部７１と、該操作部７１の反対側に設けられる前側突出部７２と、該操作部７１の反対側の前側突出部７２の後方に設けられる後側突出部７３と、前端部に形成され且つインキ収容管６２の後端開口部に嵌入される嵌入部７４と、該嵌入部７４の後方に形成される鍔部７５とを備える。前記嵌入部７４は、インキ収容管６２の後端開口部に嵌入された際、インキ収容管６２の後端開口部を完全には塞がず、インキ収容管６２の内部と外部とを通気可能にする。また、前記鍔部７５の前面には、コイルスプリング８の後端が係止される。
【００３９】
筆記体６のペン先６１が没入状態のとき、その筆記体６に取り付けられた操作体７の後端部は、蓋部５の前面に形成された当接壁部５１に衝止される。一方、筆記体６のペン先６１が突出状態のとき、その筆記体６に取り付けられた操作体７の後端部は、軸筒２の内壁に形成された係止壁部４３に係止される。
【００４０】
ペン先没入状態にある筆記体６の後端に連結された操作体７の前側突出部７２は、その操作体７の操作部７１を前方にスライド操作した際、先に突出状態にある他の筆記体６の後端に連結された操作体７の後側突出部７３と当接され、他の筆記体６のペン先突出状態が解除される。
【００４１】
（識別表示）
前記各々の操作体７は、連結される筆記体６の内部（即ちインキ収容管６２内部）に収容されたインキの色と略同じ色に着色される。具体的には、前記操作体７の各々は、連結される筆記体６のインキ色と略同じ色に着色された合成樹脂の成形体からなる。それにより、前記操作体７は、インキ色表示からなる識別表示を有する。例えば、インキ色が黒色の筆記体６に連結する操作体７は黒色に着色され、インキ色が青色の筆記体６に連結する操作体７は青色に着色され、インキ色が赤色の筆記体６に連結する操作体７は赤色に着色され、インキ色が緑色の筆記体６に連結する操作体７は緑色に着色される。本実施の形態では、インキ色の互いに異なる２本の筆記体６を軸筒２内に収容している。
【００４２】
特に、インキ収容管６２が不透明材料からなる構成の場合またはインキ収容管６２が透明材料からなるとともに内部のインキが染料インキである構成の場合、内部のインキを外部より視認することが困難であるが、操作体７をインキの色と略同じ色に着色したことが有効に作用し、軸筒２外部に存在する交換前の筆記体６において、内部のインキ色を外部より容易に識別できる。
【００４３】
また、各々の筆記体６がペン先６１のボールのサイズが互いに異なるボールペンの場合、ペン先６１のボールの外径寸法を表す数字よりなる識別表示を、操作体７の操作部７１に設けることが好ましい。また、各々の筆記体６がペン先６１の形状が互いに異なる筆記具の場合、ペン先６１の形状に対応した識別表示を、操作体７の操作部７１に設けることが好ましい。また、前記ペン先６１のボールの外径寸法を表す数字からなる識別表示、及びペン先６１の形状に対応した識別表示は、前記インキ色に着色された操作体７の操作部７１に設けることもできる。前記識別表示は、印刷、シール貼付、凸設、凹設等の手段により、操作体７に設けられる。
【００４４】
（ペン先の出没）
本実施の形態におけるペン先６１の出没作動について説明する（図１及び図２参照）。
一つの操作体７の操作部７１をコイルスプリング８の後方付勢に抗して窓孔４１に沿って前方にスライド操作すると、そのスライド操作された操作体７の前側突出部７２が、先に突出状態にある他の筆記体６の操作体７の後側突出部７３を径方向外方に持ち上げる。それにより、軸筒２内壁の係止壁部４３と操作体７との係止状態が解除され、他の筆記体６がコイルスプリング８の後方付勢により後方に移動され、他の筆記体６のペン先６１が軸筒２内に没入され、他の筆記体６の操作体７の後端が蓋部５の前面の当接壁部５１に当接衝止される。前記他の筆記体６のペン先６１の没入と同時に、前記前方にスライド操作した操作体７に連結された筆記体６のペン先６１が、軸筒２の前端孔３１より外部に突出されるとともに、前方にスライド操作された操作体７の後端が軸筒２内壁の係止壁部４３に係止され、そのペン先突出状態が維持される。
【００４５】
（筆記体及び操作体の交換）
本実施の形態における筆記体６及び操作体７の交換について説明する。
筆記体６を交換する際、蓋部５が軸筒２の後端の開口部４２を閉鎖した状態（図１参照）から、蓋部５のヒンジ部５２と反対側の操作端部を後方に押圧し、係合部５３と被係合部４７との係合を解除し、蓋部５を後方に回動させ、軸筒２の後端の開口部４２を開口する。前記開口部４２を開口させると、前記開口部４２から各々の操作体７が、コイルスプリング８の後方付勢により後方外部に突出される。前記軸筒２の後端の開口部４２が開口した状態（図３参照）で、操作体７を取り出すことにより、その操作体７と互いに連結状態にある筆記体６を、前記開口部４２を通して軸筒２内から取り出し、その後、互いに連結状態にある新たな筆記体６と新たな操作体７とを前記開口部４２を通して軸筒２内に挿入する。そして、蓋部５の当接壁部５１に各々の操作体７を当接させ、各々の操作体７を前方に押圧しながら蓋部５を前方に回動させ、その後、係合部５３と被係止部４５とを係合させ、開口部４２を閉鎖する。これにより、筆記体６及び操作体７の交換作業が終了する。
【００４６】
（挿入時のコイルスプリング）
本実施の形態の多芯筆記具１の組立工程において、複数のコイルスプリング８を軸筒２内に挿入した際、前記隔壁４４により、軸筒２内でコイルスプリング８同士が絡み合うことがない。
【００４７】
（筆記具及び操作体の交換時のコイルスプリング）
また、本実施の形態の多芯筆記具１の筆記具及び操作体７の交換時において、互いに連結状態の筆記体６及び操作体７を軸筒２後端の開口部４２を通して軸筒２内から取り外すと、軸筒２内において、コイルスプリング８の後端部がフリーな状態となる。一方、このとき、コイルスプリング８の前端部がスプリング支持部９の保持部９２により保持されている。
【００４８】
次に、互いに連結状態の新たな筆記体６及び操作体７を後軸４後端の開口部４２より挿入し、筆記体６をコイルスプリング８内部に挿入する際、誤って筆記体６の前端をコイルスプリング８後端に当接させ、コイルスプリング８を径方向に変形させても、隔壁４４により、コイルスプリング８同士が互いに接触することを回避できる。その結果、コイルスプリング８同士が絡み合うおそれがない。
【図面の簡単な説明】
【００４９】
【図１】本発明の多芯筆記具の実施の形態における全ペン先没入状態（非筆記時）を示す縦断面図である。
【図２】図１の多芯筆記具の一つのペン先が突出した状態（筆記時）を示す縦断面図である。
【図３】図１の多芯筆記具の後端の開口部を開口させ、操作体を僅かに引き出した状態を示す側面図である。
【図４】図１の多芯筆記具における筆記体及び操作体を軸筒内から取り外した状態を示す縦断面図である。
【図５】図４のＡ−Ａ線拡大断面図である。
【符号の説明】
【００５０】
１  多芯筆記具
２  軸筒
２１  スプリング収容部
３  前軸
３１  前端孔
４  後軸
４１  窓孔
４２  開口部
４３  係止壁部
４４  隔壁
４５  凹部
４６  クリップ
４７  被係合部
５  蓋部
５１  当接壁部
５２  ヒンジ部
５３  係合部
６  筆記体
６１  ペン先（ボールペンチップ）
６２  インキ収容管
７  操作体
７１  操作部
７２  前側突出部
７３  後側突出部
７４  嵌入部
７５  鍔部
８  コイルスプリング
９  スプリング支持部
９１  内孔
９２  保持部
【図１】
0004754290.tif 000002
【図２】
0004754290.tif 000003
【図３】
0004754290.tif 000004
【図４】
0004754290.tif 000005
【図５】
0004754290.tif 000006